(57)【特許請求の範囲】
【請求項１】
注射器であって、
医薬を受容するための本体、
上記本体に回転可能に配置されたカラーであって、所望の用量をセットするために回転可能である上記カラー、および、
上記カラーに移動可能に配置されたプランジャーであって、上記医薬を引き込み、投薬するために上記カラーに対して可動である上記プランジャー、
を含むことを特徴とする注射器。
【請求項２】
請求項１の注射器であって、上記本体は、第一直径を有する第一部分および第二直径を有する第二部分を有し、上記第二直径は、上記第一直径よりも大きいことを特徴とする注射器。
【請求項３】
請求項２の注射器であって、上記医薬が上記本体の上記第一部分に受容されることを特徴とする注射器。
【請求項４】
請求項１の注射器であって、上記カラーは、完全に上記本体内に配置されていることを特徴とする注射器。
【請求項５】
請求項４の注射器であって、上記プランジャーの回転が、上記カラーを回転させることを特徴とする注射器。
【請求項６】
請求項５の注射器であって、上記プランジャーの軸方向の移動が、上記カラーの移動をもたらさないことを特徴とする注射器。
【請求項７】
請求項２の注射器であって、上記カラーの外表面が、上記本体の内表面の対応するねじ部と係合するねじ部を有することを特徴とする注射器。
【請求項８】
請求項１の注射器であって、複数の用量表示が、上記カラーの外表面に配置されていることを特徴とする注射器。
【請求項９】
請求項８の注射器であって、上記複数の用量表示を見るために、窓が上記本体に配置されていることを特徴とする注射器。
【請求項１０】
請求項２の注射器であって、上記プランジャーが、プランジャーロッドおよび上記プランジャーロッドの端部に結合されたストッパーを有しており、上記ストッパーは、上記本体の上記第一部分に可動に配置されていることを特徴とする注射器。
【請求項１１】
請求項１０の注射器であって、上記ストッパーおよび上記プランジャーロッドは、ツーピース構造として分離可能に形成されていることを特徴とする注射器。
【請求項１２】
注射器であって、
第一部分および第二部分を有する本体であって、上記第一部分が医薬を受容する上記本体、
上記本体の上記第二部分に回転可能に配置されたカラーであって、所望の用量をセットするために回転可能である上記カラー、
上記カラーに移動可能に結合されたプランジャーロッド、および、
上記カラーに対して上記プランジャーロッドを移動させることにより、上記医薬を引き込み、投薬することを容易にするために、上記プランジャーロッドの端部に配置されたストッパー、
を含むことを特徴とする注射器。
【請求項１３】
請求項１２の注射器であって、上記ストッパーおよびプランジャーロッドは、一体構造として単一に形成されていることを特徴とする注射器。
【請求項１４】
請求項１２の注射器であって、上記プランジャーロッドおよび上記ストッパーは、ツーピース構造として分離可能に形成されていることを特徴とする注射器。
【請求項１５】
請求項１２の注射器であって、上記プランジャーロッドの回転は、上記カラーを回転させることを特徴とする注射器。
【請求項１６】
請求項１５の注射器であって、上記プランジャーロッドの軸方向の移動が、上記カラーの移動をもたらさないことを特徴とする注射器。
【請求項１７】
請求項１２の注射器であって、上記カラーの外表面は、上記本体の内表面の対応するねじ部と係合するねじ部を有していることを特徴とする注射器。
【請求項１８】
請求項１２の注射器であって、上記カラーが、完全に上記注射器本体内に配置されていることを特徴とする注射器。
【請求項１９】
注射器本体、カラー、および、プランジャーを備える注射器を作動させる方法であって、上記方法は、
所望の量の液体をセットするために、上記カラーがその中またはその上に配置されている上記注射器本体に対して、上記カラーを回転させるステップ、
上記注射器本体に上記液体を引き込むために、上記カラーに対して第一方向で軸方向に上記プランジャーを移動させるステップ、および、
上記注射器本体から上記液体を排出するために、上記カラーに対して第二方向で軸方向に上記プランジャーを移動させるステップ、
を含むことを特徴とする方法。
【請求項２０】
請求項１９の注射器本体、カラー、および、プランジャーを備える注射器を作動させる方法であって、上記方法は、さらに、上記液体を上記注射器本体に引き込むとき、上記プランジャーの移動を停止させるため、上記カラーを上記プランジャーに当接させるステップを含むことを特徴とする方法。
【発明の詳細な説明】
【技術分野】
【０００１】
この出願は、２０１０年６月１８日に出願された、米国仮出願第６１／３４４，２５６号の米国特許法第１１９条（ｅ）（３５  Ｕ．Ｓ．Ｃ．§１１９（ｅ））による利益を主張し、その全ての開示は、ここに参照として組み込まれる。
【０００２】
本発明は、一般的には、投薬量を制御するための、調整可能なプランジャーの用量停止部材に関する。より詳しくは、本発明は、注射器のための調整可能なプランジャーの用量停止部材に関する。さらに詳しくは、本発明は、用量を引き込むときにプランジャーの移動を制限し、それにより、投薬量を制御する、調整可能なカラーを有する注射器に関する。
【背景技術】
【０００３】
現存する注射器の使用者は、一般的に、用量が引き込まれるとき、目盛りの数字を用いて、容器から注射器に引き込まれる液状医薬のレベルを目で見て計測する必要がある。使用者が、用量を引き込む間、目盛りの数字を連続的に目で監視する必要のない注射器のためのニーズが存在する。
【０００４】
一回の用量の量は、注射器に引き込まれる液状医薬の容積によって決定される。目盛りの数字は、注射器の長手方向軸に垂直に走る。目盛りの数字は、読むことが難しく、正確な用量を引き込むことを困難にしている可能性がある。したがって、用量のセットが容易に視認され、決定される注射器のためのニーズが存在する。
【０００５】
さらに、使用者は、注射器に引き込まれる液状医薬の量を決定する。したがって、使用者が注意深くないとき、少なすぎる、または、多すぎる医薬が、注射器に引き込まれ得る。したがって、正確な用量が容易に注射器に引き込まれ得る注射器のためのニーズが存在する。
【発明の概要】
【発明が解決しようとする課題】
【０００６】
本発明の特徴によれば、投薬量を制御するために、調整可能なプランジャーの用量停止部材が提供される。
【０００７】
本発明の他の特徴によれば、注射器は、投薬量を制御するために、調整可能なプランジャーの用量停止部材を有する。
【０００８】
さらに本発明の他の特徴によれば、注射器は、用量を引き込むときにプランジャーの移動を制限し、それによって投薬量を制御する、調整可能なカラーを有する。
【課題を解決するための手段】
【０００９】
調整可能なプランジャーの用量停止部材を有する注射器は、使用者が、容器から液状医薬を引き込むのに先立って、所望の用量を選択すること、および、プランジャーによって注射器へ引き込まれる液状医薬の量を制限する機械的な停止部材を提供することを可能にする。加えて、使用者は、現存する注射器を用いるときに要求されるような目盛りの数字を用いて液状医薬を目で計測することを要求されない。
【００１０】
いくつかの利点が、注射器における目盛りの数字の必要を消去することによって達成される。注射器バレルは、より短く、より幅広であり得、それにより、注射器の全体的な長さが短くされることをもたらす。選択された用量セット数字だけが使用者に視認され得、それにより、扱いの容易な注射器を提供し得る。用量セット数字は、注射器の軸に沿って配向され、それにより、用量セットのより容易で改良された表示を提供し得る。
【００１１】
上述の目的は、医薬を受容するための本体、および、本体に回転可能に配置されたカラーを含む注射器によって達成される。カラーは、所望の用量をセットするために回転可能である。プランジャーはカラー内に移動可能に配置されている。プランジャーは、液状医薬を引き込み、および、投薬するために可動である。
【００１２】
上述の目的は、また、第一部分および第二部分を有する本体を含む注射器によって達成される。第一部分は、液状の医薬を受容する。カラーは、本体内または本体上で回転可能に配置される。カラーは、所望の用量をセットするために回転可能である。プランジャーロッドがカラーに移動可能に結合される。ストッパーが、液状医薬を引き込み、投薬することを容易にするために、プランジャーロッドの端部に配置される。
【００１３】
上述の目的は、また、注射器で液状医薬を注射する方法によって得られる。カラーは、カラーが所望の用量をセットするためにその中に配置されている本体に対して回転される。プランジャーは、注射器本体に液状医薬を引き込むためにカラーに対して第一の方向で軸方向に移動させられる。プランジャーは、注射器本体から液状医薬を投薬するためにカラーに対して第二の方向で軸方向に移動させられる。
【００１４】
本発明の目的、利点および際立った態様は、添付した図面と併せて理解され、本発明の例示的具体例を開示する、以下の詳細な説明から明らかになるであろう。
【００１５】
この出願において使用されるように、用語の「前方」、「後方」、「上方」、「下方」、「上方に」、「下方に」、および、他の方向を示す記述は、本発明の例示的具体例の説明を容易にすることを意図されており、いかなる特定の位置または方向に対しても、その構造を限定することを意図されていない。
【００１６】
本発明の種々の具体例の上記の利点および他の効果は、以下の本発明の例示的具体例の詳細な説明および添付する図面からより明らかになるであろう。
【図面の簡単な説明】
【００１７】
【図１】本発明の例示的具体例による注射器の透視図である。
【図２】図１の注射器のカラーおよびプランジャーアセンブリの正面図である。
【図３】図１の注射器による注射器本体の正面図である。
【図４】図２のカラーナットの後方正面図である。
【図５】図２のカラーおよびプランジャーアセンブリならびに図３の注射器本体を含む、本発明の例示的具体例による組み立てられた注射器の正面図である。
【図６】本発明の他の例示的具体例による注射器の部分断面の正面図である。
【図７】その中に切り欠きを有するスリーブが注射器本体の外表面に配置された、他の例示的具体例の透視図である。
【図８】その外表面に配置された用量数字を有するカラーの正面図である。
【図９】その外表面に配置された用量数字を有する注射器本体の正面図である。
【図１０】外部のねじ溝を有するカラーの正面図である。
【図１１】図１０のカラーを受容する、雄型の内部のねじ溝を有する注射器本体の正面図である。
【図１２】雄型の内部のねじ溝を有するカラーの正面図である。
【図１３】図１２のカラーを受容する内部のねじ溝を有する注射器本体の正面図である。
【図１４】注射器本体のねじ溝とねじ係合するための突部を有するカラーの部分断面の正面図である。
【図１５】カラーのねじ溝をねじ式に受容するための突部を有する注射器本体の正面図である。
【図１６】注射器本体に配置されたスリーブの正面図である。
【図１７】ハンドルに配置された複数のリブを有するカラーの正面図である。
【図１８】殺菌キャップを受容するためにそこから延びる円筒を有するカラーの正面図である。
【図１９】カラーに結合される殺菌キャップの正面図である。
【図２０】そこから延びる円筒を有さない、六角形状のハンドルを有する殺菌キャップの正面図である。
【図２１】本発明の他の例示的具体例による注射器の透視図である。
【図２２】図２１の注射器の断面の透視図である。
【図２３】図２１の注射器の注射器本体の透視図である。
【図２４】図２１の注射器のカラーの透視図である。
【発明を実施するための形態】
【００１８】
図面を通して、同じ参照番号は、同じ部分、構成要素および構造に言及することが理解されるであろう。
【００１９】
図１〜図５に示されるように、本発明の例示的具体例において、注射器１１１は、注射器本体１２１、注射器本体１２１に対して、回転方向および軸方向に可動のカラー１４１、および、カラー１４１に対して可動のプランジャー１６１を含む。これらの構成要素の全ては、適切なプラスチック材料から好ましくは製造される。金属の針１８１が注射器本体１２１に結合される。液状医薬が容器（不図示）から針１８１を通して注射器本体１２１内に引き込まれ、注射器本体から針を通して注射部位に注射される。本発明の例示的具体例は、インシュリン注射器のようなどのタイプの注射器にも、または、例えば、成長ホルモンまたは麻酔薬を投薬するための、他のタイプの注射器にも適用可能である。注射器は、永久的に取り付けられた針を提供するための、一体のバレル、または、除去可能な針を提供するための、ねじ込み式、スナップ式または他のタイプのバレル構造を有し得る。針１８１は、また、必要に応じて、削除され得る。
【００２０】
注射器１１１は、図１および図３に示されるように、好ましくは、使用者が、見易く、分かり易く、および、使用し易いような、大きな数字で、用量セットが表示される窓１２３を有する。使用者は、所望の用量をダイアルし、その後、プランジャーが、カラー１４１のような、機械的な停止部材に突き当たり、それによって、注射器へ引き込まれる医薬の量をセットされた用量に制限するまで、注射器本体１２１からプランジャー１６１を引き出すことによって、液状医薬を引き上げる。現存する注射器において、プランジャーは、ストッパーが、プランジャーの引き出し方向と直交する方向に注射器本体に配置され、用量設定に対応する目盛り数字と整列するまで引き出される。
【００２１】
カラー１４１は、図１および図２に示されるように、注射器本体１２１に対して回転方向および軸方向に可動である。ねじ部１４３がカラー１４１の外表面１４２に配置されている。穴１４６が、そこを通してプランジャーロッド１６３を受容するため、第一端１４８から第二端１４９に、カラー１４１を貫通する。カラー１４１の外表面１４２は、ねじ部１４３の近傍に配置され、用量セットに対応する、複数の表示１４５を有する。表示１４５は、一単位、単一単位群、複数の単位群の一部であり得る。表示は、数字、シンボルまたは機能障害を有する使用者による使用を容易にするため点字であり得る。代わりに、表示は、デジタルに表示され得る。ハンドル１４７が、用量を設定するための使用者によるカラー１４１の回転を容易にするために、カラー１４１の第一端１４８に配置される。カラー１４１の第二端１４９は、第一端１４８よりも小さな直径を有し、容器から注射器本体１２１へ医薬を引き込むためにカラー１４１からプランジャーを引き出すときに、プランジャー１６１のための機械的ストッパーとして機能し、その結果、注射器に引き込まれる医薬の量をセットされた用量に制限する。
【００２２】
好ましくは、カラーの穴１４６およびプランジャーロッド１６３は、実質的に円形であり、プランジャーロッド１６３の回転は、セットされた用量に影響する、カラー１４１の望ましくない回転をもたらさない。したがって、プランジャーロッド１６３は、カラー１４１の回転をもたらすことなく穴１４６内で自由に回転する、すなわち、プランジャー１６１は、カラー１４１とは無関係に移動する。したがって、使用者が、液状医薬を引き込み、または、注射するためにプランジャーを回転させるとき、カラーはプランジャーと一緒に回転せず、用量セットに影響を及ぼさない。代わりに、穴１４６は、カラー１４１に対するプランジャーロッド１６３の回転運動を防止するため、キー構造とされる。例えば、カラーの穴１４６およびプランジャーロッド１２３は、実質的に六角形状であり得るが、しかし、どんな好適な形状でも用いられ得る。したがって、キー構造とされたプランジャーロッド１６３は、カラー１４１の回転と共に回転し、キー構造とされたプランジャーロッド１６３は、カラー１４１を移動させることなく軸方向に移動可能である。例えば、図６に示されるように、プランジャーロッド１６３は、カラー２４１に対してキー構造とされ、その結果、プランジャーハンドル２４７は、カラーのハンドルとして機能する。プランジャーハンドル２６７の回転は、プランジャー２６１の軸方向移動をもたらすことなく、注射器２１１に対するカラー２４１の回転をもたらす。プランジャーハンドル２６７は、所望の用量がセットされるまで回転させられる。
【００２３】
注射器本体１２１は、図１および図３に示されるように、第一部分１２２および第二部分１２４を有する。図１に示されるように、第一部分１２２は、液状医薬を受容し、第二部分１２４は、カラー１４１を受容する。好ましくは、第一および第二部分は、注射器本体が一つの、単一の部材であるように一体に形成される。代わりに、第一部分１２２は、注射の実行後、第一部分が除去されて、適切に廃棄される一方で、第二部分は更なる使用のために保持されるように、第二部分１２４に結合される。第一部分１２２は、固定タブ、留め金、ねじ、または、Ｏ−リングまたは第二部分１２４の転がり軸受け箱によって保持された溝付の開放構造を含むが、これらに限定されない、どんな適切な方法によっても第二部分１２４に除去可能に結合され得る。シール１７１は、廃棄可能な第一部分１２２の長さに沿って延び、第二部分が流体通路と接触することを防止するための首部を有する。ストッパーまたはシール１７１は、図２に示されるように、プランジャーロッド１６３の先端を受け入れる内部構造を有し、組立てられ、および、分解され得る。代わりに、シール２７１およびプランジャーロッド２６３は、図６のプランジャー２６１のように、一つの合成樹脂部品として単一に形成され得る。第一部分１２２は、廃棄可能な先端が第一部分１２２から分解されるときに、シールおよびプランジャーが注射器本体から出てくるのを防止する壁を、一つの端に有する。第二部分１２４の直径は、図１および図３に示されるように、第一部分１２２の直径より大きい。
【００２４】
注射器は、針を保護し、殺菌障壁を提供するシールリングを含む、廃棄可能な第一部分の針端に、シールドを有する統合されたユニットであり得る。廃棄可能な第一部分１２２が、殺菌障壁を提供する包装体に収容されるとき、シールドは、殺菌障壁を提供し、または、提供しない。廃棄可能な第一部分は、シールされて殺菌障壁を提供するキャップまたはラベルで閉鎖されるカバー内に収容される。代わりに、シールは、医薬を収容する筺体の端部に配置され、殺菌障壁を提供する。
【００２５】
代わりに、注射器本体は、その全体の長さにわたり、単一の直径であり得、カラーは、その全体の長さにわたり、単一の直径であり得る。
【００２６】
注射器本体１２１の第一部分１２２は、好ましくは、透明であり、その結果、医薬は使用者の目に見え、注射の後、使用者は、医薬が注射されたことを確認し得る。注射器本体１２１の第二部分１２４は、所望の用量セットを示す窓１２３を有する。注射器本体１２１の第二部分１２４は、非透明の着色材料からなり得、窓１２３は、材料の欠如によって形成される。代わりに、窓１２３は、一つの用量セットを示す窓１２３を除いて、第二部分１２４の表面を非透明にすることによって形成される。代わりに、切抜き窓を有するラベルが、注射器本体１２１の第二部分１２４に配置される。代わりに、所望の用量セットのみを示すインクの帯が、第二部分１２４に適用される。代わりに、窓は、注射器本体１２１の端部に位置決めされ、その結果、切抜きは、窓の三つの側面のみによって形成される。
【００２７】
プランジャーは、プランジャーがカラーを過ぎて移動することを防止し、セットされた用量を提供するための適正な容量に注射器筺体を開放する、図６のフランジ２６５のような、一体の停止構造を有する。代わりに、図２および図５に示されるように、シールが、カラーに向って底に達し、引き込まれる医薬の量を調節する。
【００２８】
プランジャーは、カラーとは無関係に移動し得る。代わりに、プランジャーは、カラーに対してキー構造とされ、その結果、プランジャーハンドルは、カラーハンドルの役目を果たす。
【００２９】
内部ねじ１２９が、図３に示されるように、注射器本体１２１の第二部分１２４の内面に配置され、注射器本体１２１に対するカラーの回転および軸方向の移動のために、カラー１４１の外表面１４２のねじ１４３と係合する。ねじ１２９は、図３に示されるように、注射器本体１２１の内表面の一部に沿って延びるか、注射器本体の全内表面に沿って延びることができ、または、図１１に示されるような一つのノッチが、カラー１４１のねじ１４３を受容するように使用される。注射器本体１２１の第二部分１２４の窓１２３は、カラー１４１が注射器本体から回転されるとき、使用者が容量セット表示１４５を見ることを可能にする。窓１２３内で見ることのできる容量セット表示１４５は、容量セットに対応する。注射器本体１２１の第二部分１２４は、不透明であり得、インクによる印付けまたは他の好適な手段が、窓１２３を通して見ることができる容量セット表示のみを視ることができるように用いられる。例えば、注射器本体１２１の第二部分１２４は、凹凸がつけられ、その結果、窓内に位置決めされる容量セット表示のみが視認可能である。
【００３０】
注射器本体１２１の第２端１２６の近傍の内表面１２７は、針ハブアセンブリを受容する、ルアーロックのような内部ねじ（不図示）を有する。代わりに、製造中に、針が注射器本体１２１の第二端１２６に結合される。したがって、針は、永久的に取り付けられるか、例えば、ルアーロックによって、取り外し可能であり得る。更なる代替例として、注射器は、例えば、針なし弁を経由して静脈ラインに、ポートまたは注射部位に、流体を投与するために、針なしで使用され得る。
【００３１】
プランジャー１６１は、カラー１４１に対して軸方向に移動可能なプランジャーロッド１６３を含む。プランジャーロッド１６３の第一端１６５は、カラー１４１の外方に配置されたプランジャーヘッド１６７を有する。プランジャーヘッド１６７は、プランジャーの第一端１６５が穴に入るのを防止するため、カラーの穴１４６よりも大きい。プランジャーロッド１６３の第二端１６６は、カラー１４１の外方で、注射器本体１２１内に配置される。
【００３２】
分離したゴム製のシールまたはストッパー１７１が、プランジャー１６１の第二端１６６に配置される。シール１７１は、注射器本体の減少した直径部分１２８の第一位置と、カラー１４１の第二端１４９の機械的停止部における第二位置の間を、注射器本体１２１内で移動可能である。シール１７１は、注射器本体１２１内で流体シールを形成し、流体医薬がシールを超えて通過するのを防止する。
【００３３】
注射器の軸に沿って移動可能である保護部材が、注射器の針端部に設けられ得る。保護部材は、要求される種々の針長さを露出するように調整可能である。例えば、保護部材は、容器から医薬を引き込むために全部の針長さを露出するように完全に後退させられる。医薬が送達されるとき、保護部材は、針がそれほど露出されない位置に調整され得る。医薬が送達された後、保護部材は、針全体が覆われる位置に移動させられ、不測の針刺しを防止するための安全シールドを提供する。
【００３４】
注射を実行するために、注射されるべき所望の用量が、調整可能なカラー１４１でダイアルされる。最初に、シール１７１は、注射器本体の減少した直径部分１２８と係合する最初の位置にある。カラーのハンドル１４７が回転させられると、それにより、注射器本体１２１からカラー１４１を軸方向に移動させる。所望の用量設定に対応する用量表示が窓１２３に現れると、所望の用量は、注射器本体１２１の第一部分１２２にいつでも引き込まれ得る。送達される用量が大きければ大きいほど、カラー１４１は、注射器本体１２１からより多く移動し、カラー１４１の第二端１４９は、注射器本体１２１の減少した直径部分１２８からより遠くに移動する。プランジャー１６１は、注射器本体１２１に空気を引き込むために後方に引かれ得る。
【００３５】
針１８１は、送達される液状医薬が貯蔵されている、インシュリンのバイアル瓶のような容器に、（典型的にはセプタムを通して）挿入される。プランジャー１６１が、注射器本体１２１内に空気を引き込むために後方に引かれたら、プランジャー１６１は、空気を吐出させ、シール１７１を注射器本体１２１の減少した直径部分１２８に対して着座させるために、内方に押入される。プランジャーヘッド１６７が、カラー１４１から引かれ、それにより、シール１７１がカラー１４１の第二端１４９に当接し、プランジャー１６１の更なる移動を制限するまで、シール１７１を後方に移動させる。好ましくは、錠止手段（不図示）が、プランジャー１６１が外方に引かれる間、カラー１４１の回転を妨ぎ、それにより、セットされた用量に対する不慮の変更を防止する。注射器本体１２１へ引き込まれる医薬の量は、窓１２３に見えるようにセットされた用量に対応する。
【００３６】
引き込まれた用量を注射するために、プランジャー１６１は、シール１７１が、注射器本体１２１の減少した直径部分１２８に当接し、それにより、プランジャーの更なる内方への動きを制限する第一位置に復帰するまで、カラー１４１内に押し戻される。代わりに、用量は、調整可能なカラー１４１を元の第一位置（またはゼロ位置）まで回転させることによって注射される。
【００３７】
針１８１が注射器本体１２１に一体的に取付けられている場合、注射器１１１は、注射後、適切に廃棄される。図２〜図５に示されるように、針ハブアセンブリが注射器本体と共に使用される場合、針ハブアセンブリは除去され、注射器が再使用されるように適切に廃棄される。針ハブアセンブリは、廃棄されるために、注射器本体からねじ戻され得る。代わりに、注射器の第一部分１２２は、第二部分１２４にねじ込まれうるように結合されることができ、その結果、第一部分１２２は、第二部分１２４から除去され、第一部分は適切に廃棄され得る。注射器本体１２１の第二部分１２４、カラー１４１およびプランジャー１６１は、その後、再使用される。
【００３８】
レンズ、拡大鏡または他の類似の器具が、使用者に、用量セット表示の大きさを増大させるために注射器本体１２１の窓１２３に配置され得、それにより、用量セット表示の可読性を手助けする。
【００３９】
カラー１４１の回転を制御するための手段が設けられ、用量セット表示１４５は、窓１２３に中心づけられる。そのような手段は、用量セット表示間の回転を提供し、その結果、用量セット間でのカラーの位置づけは実質的に妨げられる。加えて、錠止手段がカラー１４１の移動を防止するために設けられ、その結果、用量セットの不慮の変動を防止する。
【００４０】
ディテント機構が注射器本体１２１およびカラー１４１に配置されることができ、所望の用量のために、カラーが、回転整列することを容易にする。注射器本体１２１は、カラー１４１のディテントに係合する少なくとも一つの柔軟性ビームを含み得る。可聴音、および／または、触感上の感覚が、用量をダイアルするとき、カラー１４１の適正な位置づけを示すために、ディテントの影響を乗り越えることによって生成され、それにより、用量セットの間での用量のダイアルを実質的に防止する。調整可能なカラー１４１は、注射器のバレルに組みつけられた、一つ以上のばね式プランジャーを受容するディテントを有し得る。
【００４１】
表示が、使用者に、プランジャー１６１が用量停止部にぶつかった（シール１７１が注射器本体１２１の減少した直径端部１２８に再着座した）ことを示すために設けられ、それにより、所望の全用量を注射しないことから実質的に使用者を防止する。窓は、プランジャーロッド上の指標への視的アクセスを提供し、また、可聴クリックまたは他の好適手段が、プランジャーが用量停止部にぶつかったことを示すために設けられる。したがって、注射器は、ゼロに降下する用量セット表示または用量セット指示器がゼロに達するときの可聴クリックのような、しかしながら、これらに限定されない、用量送達を確認するための手段と共に提供される。
【００４２】
図６に示されるような他の例示的具体例において、注射器２１１は、注射器本体２２１内に完全に配置されたカラー２４１を有する。プランジャーフランジ２６５が、プランジャー２６１のプランジャーロッド２６３に配置される。プランジャーロッド２６３はカラー２４１の第一端２４３を通過し、カラーの第二端２４５を通って出て行く。プランジャーフランジ２６５は、カラー２４１の第二端２４５に当接する。カラー２４１の第二端２４５は、プランジャーフランジ２６５が第二端に当接することからの損傷を実質的に防止するために奥まって置かれている。用量セット表示２４６は、カラー２４１の外表面に配置され、注射器本体２２１に形成された窓を通して視認可能である。カラー２４１の外表面２４７に形成されたねじ２４９は、注射器本体の内表面２２５に形成されたねじ２２３に係合する。
【００４３】
プランジャーロッド２６３は、カラー２４１にキー止めされており、その結果、プランジャーロッドの回転は、カラーの回転および軸方向運動をもたらし、プランジャーロッドの軸方向運動はカラーを移動させない。プランジャーロッド２６３は実質的に六角形形状を有し、カラーの穴は対応する六角形形状を有する。しかしながら、いかなる好適な形状も使用され得る。プランジャーロッド２６３の回転は、プランジャー２６１の軸方向の運動をもたらさないで、カラー２４１が注射器本体２２１内を回転することを可能にする。プランジャーロッド２６３は、プランジャー２６１の回転がストッパー２７１を回転させないように、ストッパーまたはシール２７１に結合され得る。
【００４４】
注射を実施するために、注射器本体２２１に対するカラーの回転によって、注射される所望の用量が、調整可能なカラー２４１でダイアルされる。最初に、シール２７１は、図６に示されるように、注射器本体２２１の減少した直径部分２２８と係合する第一位置にある。プランジャー２６１が回転させられ、それにより、カラー２４１を回転させ、注射器本体２２１を通してカラー２４１の後方への軸方向移動をもたらす。所望の用量セットに対応する用量セット表示２４６が注射器本体２２１の窓に現れると、液状医薬の所望の用量が注射器本体２２１内へ引かれる用意ができる。送達される用量が多ければ多いほど、カラー２４１は注射器本体２２１におけるより後方に（第一端２２９に向って）移動する。プランジャー２６１は、フランジ２６５がカラー２４１の第二端２４５に当接するまで、カラー２４１および注射器本体２２１を通して後方に引かれる。プランジャー２６１は、その後、シール２７１が注射器本体２２１の減少した直径部分２２８に係合するまで、注射器本体２２１内に軸方向に押し戻される。プランジャーが軸方向に移動させられると、プランジャーロッド２６３とカラー２４１とのキー構造は、カラーの移動をもたらすことなく、プランジャー２６１の軸方向移動を可能にする。プランジャーが注射器本体２２１から完全に引き抜かれることを防止するために、停止部材が設けられる。
【００４５】
針２８１が、送達される液状医薬が貯蔵されている容器に（典型的にはセプタムを通して）挿入される。プランジャー２６１は、軸方向後方に引かれ、それにより、シール２７１を後方に移動させ、注射器本体２２１の減少した直径部分２２８から離す。プランジャーフランジ２６５がカラー２４１の第二端２４５に当接するまで、プランジャー２６１が軸方向後方に引かれ、それにより、プランジャー２６１の更なる移動を制限する。好ましくは、錠止手段が、医薬を吸引する間にプランジャー２６１が後方に引かれるとき、カラー２４１の回転を防止し、それにより、セットされた用量に対する不慮の変動を防止する。注射器本体２２１に引き込まれる医薬の量は、注射器本体２２１の窓で見ることのできる用量セットに対応する。
【００４６】
用量を引き込むことに先立って、注射器本体に一回分の空気を引き込むため、プランジャー２６１は、後方に移動させられ得る。針２８１が容器に挿入されると、プランジャー２６１は、注射器本体内でシール２７１に再着座させるために軸方向に押入され、それにより、注射器本体２２１から引き込まれた空気を追い出す。
【００４７】
引き込まれた用量を注射するために、プランジャー２６１は、シール２７１が注射器本体２２１の減少した直径部分２２８に当接し、それにより、プランジャーの更なる内方への移動を防止するまで、注射器本体２２１内で軸方向に押し戻される。
【００４８】
注射器本体に医薬を引き込むことを容易にするために、カラー２４１の第一端２４３とプランジャーハンドル２６７の間にばねが配置され得る。カラーが所望の用量セットに移動させられた後、プランジャー２６１は、注射器本体２２１内で軸方向に押入され、それにより、プランジャーハンドル２６７とカラー２４１の第一端２４３の間のばねを圧縮する。注射器本体に医薬を引き込むために注射器本体からプランジャー２６１を引き出すとき、ばねは、プランジャー２６１の後方への軸方向移動を容易にする。
【００４９】
図６に示されるように、ねじ２４９がカラー２４１の外表面２４７の対向端に配置される。代わりに、ねじは、カラー２４１の第一端２４３のみに近接して、カラーの第二端２４５のみに近接して、または、カラーの外表面２４７に沿って連続して配置され得る。代わりに、ねじ２４９は、同様な方法で、カラー２４１の内表面に配置され得る。
【００５０】
図７に示されるように、スリーブ３３１、ラベルまたは他の好適な部材が、用量セット表示窓として機能するように、その中に切り欠き３３３を有する注射器本体３２１の外表面に配置され得る。フランジ３３５が、使用中に注射器３１１を把持することを容易にするために、スリーブ３３１に配置され得る。
【００５１】
図８に示されるように、カラー４４１は、その外表面４４２に配置された用量セット表示４４５を有し得る。代わりに、用量セット表示４２５は、図９に示されるように、注射器本体４２１の外表面４２２に配置される。
【００５２】
図１０に示されるように、カラー５４１は、その外表面５４２に配置された溝５４３を有し得る。図１１に示されるように、雄ねじ５２３が注射器本体５２１の内表面５２２に配置され、カラーの溝５４３を受容する。カラー５４１のハンドル５４７が回転させられると、カラーは注射器本体５２１内を移動し、それにより、プランジャーに対する移動限界および引き込まれる流体の許容量をセットする。代わりに、図１２および図１３に示されるように、カラー６４１は、その外表面６４２に配置された雄ねじ６４３を有し得る。溝６２３が、カラーのねじ６４３を受容するために注射器本体６２１の内表面６２２に配置される。
【００５３】
図１４に示されるように、カラー７４１は、その内表面７４２に配置されたねじ７４３を有し得る。ねじ７４３は、カラー７４１を回転可能に受容するため、注射器本体７２１の外表面７２２に配置される。カラー穴７４６が注射器本体７２１内に配置され、プランジャーを受容するように適合している。したがって、注射器本体の非患者端で外側に用量ノブを配置することにより、注射器本体の内部のねじは削除される。
【００５４】
図１５に示されるように、少なくとも一つの突部８２３が、カラーを案内するために、注射器本体８２１の外表面８２２に形成され得る。突部８２３は、注射器本体８２１に一体成形される。代わりに、図１６に示されるように、突部８２３は、スリーブ８３１または圧入ピンによって注射器本体８２１の外表面８２２に形成され得る。バレルは、その各々が、カラーの溝に係合するように形作られた一端における構造を含んだ、一つ以上のプラグを受容するための一つ以上の切欠きを含む。
【００５５】
図１、図２および図４に示されるように、カラーハンドル１４７は、器用さの制限を有する使用者によって容易に操作される、実質的に六角形の形状を有する。代わりに、図１７に示されるように、カラー９２１は、カラー９２１の回転軸に実質的に平行に走る複数のリブ９２５を有するハンドル９２７を有し得る。リブ９２５は、器用さの制限を有する使用者によって容易に把持される。したがって、カラーハンドル９２７は、使用中、注射器の制御を容易にするための手段を提供する。代わりに、図７に示されるように、注射器本体３２１のスリーブ３３１に配置されたフランジ３３５のような、使用中に注射器の制御を容易にするための手段が注射器本体に配置され得る。
【００５６】
カラー９４１のハンドル９４７は、図１８および図１９に示されるように、そこから外方に延びる実質的に円筒状の突出部９４５を有し得る。キャップ９５１が、流体通路のための殺菌障壁を形成するために、突出部９４５によって受容される。キャップ９５１は、プランジャーハンドル９６７を覆い、図１９に示されるように、プランジャー９６１とカラー９４１との間の殺菌障壁を形成するため、突出部９４５に係合する内部リング９５３を有し得る。注射器本体（図１１の注射器本体５２１のような）とカラーとの間の殺菌障壁を形成するために、複数のリング９４９が、カラー９４１の外表面９４２に配置される。代わりに、注射器（図１の注射器１１１のような）のための包装が、殺菌障壁を提供するとき、カラー９８１は、ハンドル９８７から延びる突出部を有さない。
【００５７】
図２１〜図２４に示されるように、本発明の他の例示的具体例において、注射器１０１１は、注射器本体１０２１、注射器本体１０２１に対して回転方向および軸方向に可動のカラー１０４１、カラー１０４１に対して可動のプランジャー１０６１を含む。針１０８１は、注射器本体１０２１に結合される。医薬は、針１０８１を通して容器から注射器本体１０２１に引き込まれ、注射器本体から注射部位に針を通して注射される。注射器１０１１は、永久的に取付けられた針を提供するための一体型のバレルを有するか、除去可能な針を提供するために設計された、ねじ式、スナップ式または他のタイプのバレル構造を有し得る。代わりに、針１０８１は、完全に削除され得る。
【００５８】
注射器１０１１は、図２１に示されるように、好ましくは、使用者が、見て、学習して、使用するのが容易である大きな数字で用量セットが表示される窓１０２３を有する。使用者は、注射器本体１０２１に対してカラーノブ１０４７を回転させることで所望の用量をダイアルする。フランジ１０９５が、使用中に注射器１０１１を把持するために注射器本体１０２１から外方に延び得る。医薬は、その後、プランジャーが機械的停止部と当接し、それによって、注射器に引き込まれる医薬の量をセットされた用量に制限するまで、注射器本体から後方にプランジャー１０６１を引くことによって、容器から引き込まれ得る。図２２および図２４に示されるように、プランジャー１０６１の後方への移動は、ストッパー１０７１がカラー１０４１の第二端１０４９に当接するときに停止される。
【００５９】
カラー１０４１は、注射器本体１０２１に対して、回転方向および軸方向に可動である。ねじ１０８９が、カラー１０４１の外表面１０４２に配置される。穴１０４６が、カラー１０４１を通して、第一端１０４８から第二端１０４９まで通っており、そこを通してプランジャーロッド１０６３を受容する。カラー１０４１の外表面１０４２は、ねじの近傍に配置され、用量のセットに対応する、複数の表示１０４５を有する。表示１０４５は、一単位、単一単位群または複数単位群の一部分であり得る。表示は、数字、シンボルまたは機能障害を有する使用者による使用を容易にするため点字であり得る。代わりに、表示は、デジタルに表示され得る。ハンドル１０４７が、用量をセットするための使用者によるカラー１０４１の回転を容易にするために、カラー１０４１の第一端１０４８に配置される。カラー１０４１の第二端１０４９は、第一端１０４８よりも小さな直径を有し、容器から注射器本体１０２１へ医薬を引き込むため、カラー１０４１からプランジャーを引き出すときに、プランジャー１０６１のための機械的ストッパーとして機能し、その結果、注射器に引き込まれる医薬の量をセットされた用量に制限する。
【００６０】
カラーの穴１０４６は、カラー１０４１に対するプランジャーロッド１６３の回転運動を阻止するためにキー構造にされ得る。したがって、カラー１０４１は、セットされた用量が、カラー１０４１の望まない回転によって不慮に変更されるような、不慮の回転から防止される。
【００６１】
注射器本体１０２１は、図２１〜図２３に示されるように、第一部分１０２２および第二部分１０２４を有する。第二部分１０２４の直径は、好ましくは、第一部分１０２２の直径よりも大きい。図２１および図２２に示されるように、第一部分１０２２は、医薬を受け入れ、第二部分は、カラー１０４１を受け入れる。好ましくは、第一および第二部分は、注射器本体が一つの、単一な部材であるように、一体的に形成される。分離したゴム製のストッパーまたはシール１０７１が、図２２に示されるように、注射器本体１０２１の第一部分１０２２に配置され、流体通路との接触から第二部分１０２４を実質的に防止する。ストッパー１０７１は、図２２に示されるように、プランジャーロッド１０６６の先端を受容する開口１０７２を有し、組みつけられ、取り外しされ得る。ストッパーに対するプランジャーロッドの独立した回転を容易にし、プランジャーロッドおよびストッパーが軸方向に共に移動することを可能にするように、ストッパー１０７１にプランジャーロッド１０６３を接続するために、他の構造が使用され得る。例えば、ストッパー内の空洞に受容されるボールが、プランジャーロッド１０６３の端部に形成され得、空洞にアクセスするための開口は、ストッパーの開口より小さく、それにより、プランジャーロッドがストッパーから引き抜かれることを実質的に阻止する。
【００６２】
注射器本体１０２１の第一部分１０２２は、好ましくは、透明であり、その結果、医薬は使用者にとって可視であり、注射後に、使用者は、医薬が注射されたことを確認できる。注射器本体１０２１の第二部分１０２４は、所望の用量セットを示す窓１０２３を有する。
【００６３】
内部のねじ１０８７は、注射器本体１０２１の第二部分１０２４の内表面に配置され、注射器本体１０２１に対するカラーの回転および軸方向移動のために、カラー１０４１の外表面のねじと係合する。注射器本体１０２１の第二部分１０２４にある窓１０２３は、カラー１０４１が注射器本体１０２１から回転させられる際、使用者が、用量セット表示１０４５を見ることを可能にする。窓１０２３内で見ることのできる用量セット表示１０４５は、用量セットに対応する。プランジャー１０６１は、カラー１０４１に対して軸方向に可動であるプランジャーロッド１０６３を含む。プランジャーロッド１０６３の第一端１０６５は、カラー１０４１の外方に配置されたプランジャーヘッド１０６７を有する。プランジャーヘッド１０６７は、カラー穴１０４６よりも大きく、プランジャーの第一端１０６５が穴に入るのを防止する。プランジャーロッド１０６３の第二端１０６６は、カラー１０４１の外方で、注射器本体１０２１内でストッパー１０７１内に配置される。
【００６４】
ストッパーまたはシール１０７１は、プランジャーロッド１０６３の第二端１０６６に結合される。ストッパー１０７１は、注射器本体の減少した直径部分１０２８における第一位置とカラー１０４１の第二端１０４９の機械的停止部における第二位置との間で、注射器本体１０２１内を可動である。ストッパー１０７１は、医薬がシールを超えて通過することを阻止する、注射器本体１０２１内におけるシールを形成する。
【００６５】
注射を実行するために、注射されるべき所望の用量が、調整可能なカラー１０４１でもって、ダイアルされる。最初に、ストッパー１０７１は、図２２に示されるように、注射器本体の減少した直径部分１０２８に係合する第一位置にある。カラーハンドル１０４７が回転させられ、それにより、注射器本体１０２１からカラー１０４１を軸方向に移動させる。所望の用量セットに対応する用量表示１０４５が、窓１０２３に現れると、所望の用量が、注射器本体１０２１の第一部分１０２２内に引き込まれる準備ができる。送達される用量が多ければ多いほど、カラー１０４１は注射器本体１０２１からより遠くに移動し、注射器本体１０２１の減少した直径部分からより遠くにカラー１０４１の第二端１０４９が移動する。
【００６６】
針１０８１が、送達されるべき液状医薬が貯蔵された、インシュリンのバイアル瓶のような容器内に（典型的にはセプタムを通して）挿入される。プランジャーヘッド１０６７は、カラー１０４１から引かれ、それにより、ストッパー１０７１がカラー１０４１の第二端１０４９に当接し、それにより、プランジャーロッド１０６３の更なる移動を制限するまで、ストッパー１０７１を後方に移動させる。注射器本体１０２１内に引き込まれた医薬の量は、窓１０２３に見える用量セットに対応する。
【００６７】
引き込まれた用量を注射するために、プランジャー１０６１は、シール１０７１が注射器本体１０２１の減少した直径部分１０２８と当接する第一位置に復帰し、それによりプランジャーロッド１０６３の更なる内方への移動を阻止するまで、カラー１０４１内に押し戻される。
【００６８】
注射器は、プランジャーが通る中空のねじ付きポストを有するように提供され得る。ねじ付きのハンドルは、その端部に配置されたダイアルハンドルを有する。ねじ付きポストは、ねじ付きポストがバレルに対して回転のみ可能であるように、バレルに固定され、ねじ付きポストの軸方向移動は、実質的に制限される。カラーは、キー構造およびバレルの溝により、自由に回転せず、ねじ付きポスト上を移動する。ダイアルハンドルおよびねじ付きポストが回転すると、カラーは、ねじ付きポストを上下に平行移動し、プランジャーの停止部材として役立つ。
【００６９】
二片のキャップが、殺菌性を提供するために使用され得る。第一のキャップ片は、除去可能である。キャップの第二片は、注射器上に止まり、用量セットのための窓として作用するノッチを有する。
【００７０】
ノッチは、注射器本体に形成され、用量セットを見るための窓として機能する。
【００７１】
注射器本体に、複数の小さな隆起が設けられ、注射器本体に対する針アセンブリの圧入を容易にする。
【００７２】
注射器ハウジングは、参照目的のために、その上で液状医薬の量を表示する目盛り数字を有し得る。
【００７３】
注射器本体は、ねじ付きの構造を提供するために、製造中に、注射器ハウジングと一体となったねじ付き部材を含み得る。シールは、針アセンブリが注射器ハウジングと一体とされ、プランジャーが注射器ハウジングの反対側の端部から組みつけられる前に、患者（針）端部において注射器本体内に組みつけられる。代わりに、シールは、患者（針）端と反対側の注射器ハウジングの端部から組みつけられ得る。
【００７４】
事前に充填された液状医薬のカートリッジが、注射器ハウジングに装着され得る。
【００７５】
二つの調整可能なノブが、注射器に備えられ得る。第一ノブは、１０の桁の用量セットを調整する、すなわち、１０、２０、３０およびその他の不連続の位置に用量をダイアルする。第二のノブは、一の桁を調整し、第一ノブ内で、または、その周りに回転する。この配置は、注射器のコンパクトな直径を維持し、用量セットの単位を１から１００の範囲にすることを可能にする。第一および／または第二のノブは、また、螺旋での回転よりはむしろ平行移動し得、注射器本体に沿った予めセットされた位置にクリックすることができる。
【００７６】
調整可能なノブは、吸引中に部材がシールに接触するとき、シールの背部と係合する可動または取り外しできる構成部材を有し得る。構成部材は、スナップ止め、磁石、または他のどんな好適な方法によっても結合され得る。プランジャーが押圧されるとき、構成部材は、シールと共に移動し、それにより、使用者に、プランジャーが十分に引き戻されたという可視の表示を与える。
【００７７】
一つ以上のディテントを有するトラックが、所望の用量を得ることを容易にするために使用される。
【００７８】
注射器は、極微針を含むが、これに限定されない、種々の長さおよびゲージの針に適合する。代わりに、注射器は、例えば、針のない弁を介した静脈ライン、ポートまたは注射部位を通して流体を投与するために、針なしで用いられる。
【００７９】
注射器は、プラスチックまたはガラスのような、しかし、これらに限定されない、種々の材料から製造され得る。注射器は、どんな色にも製造できる。注射器のバレルおよびストッパー材料は、医薬の効能の低下または喪失を発生させることなく、未来の医薬送達のために、引き込まれた医薬が注射器に貯蔵され得る材料から製造され得る。
【００８０】
注射器は、不慮の針刺しおよび／または針の再使用を防止するための安全構成を有し得る。
【００８１】
注射器は、第一の容器から第一の用量をダイアルして引き込み、それから、インシュリン混合物のような、医薬の混合物を担持するための第二の容器から用量をダイアルして引き込むことを容易にするための構造を含む。
【００８２】
用量セット表示の目盛りは、Ｕ−１００、Ｕ−４００およびｍｌのような、しかしこれらに限定されない、注射器の意図される使用の関数であり得る。代わりに、用量目盛りは、患者の体重に準拠され得る。目盛りは、患者の体重であり、その結果、注射器は、医療関係者の代わりに容量および用量を計算する。注射器のある特徴は、全用量、および、ねじのピッチ、ねじの長さおよび直径のような、選択される目盛りによって変化する。注射器は、意図される適用に依存する通常の容量を変更して保持し得る。
【００８３】
ねじ接続は、ペン型ニードルを受容するために注射器の針端に配置され得る。容量セット表示は、プランジャーによって駆動されるオドメータの形状であり得る。
【００８４】
事前に充填された使い捨ての注射器は、４ｍｍを含む種々の針の長さに適合でき、深さ停止部材を有する。プランジャー停止部材は、針から最も遠い調整可能なカラーの一側にある。プランジャーは、最も後退した位置で始まり、プランジャーが押圧されるとき、所望の用量にセットされた調整可能なカラーに当接するまで、移動することのみが可能である。用量が送達された後、注射器は、廃棄される。注射器の容量は、使用によって変わり得る。例えば、注射器は、１０、２０、３０または５０ユニットを含むような大きさとされ得るが、注射器の大きさは、これらの例に限定されない。
【００８５】
代わりに、注射器は、インシュリンのような液状の医薬、充填された容器およびダイアルされた用量を含み得る。弁プランジャーが医薬の所望量を投薬するために用いられ、加圧ガスが、適切な作動を提供するために用いられる。代わりに、フラッパ弁が、送達されるべき医薬の適正量を規制することを容器にもたらすために使用される。代わりに、容器は、シールまたは他の好適な手段によって、二室（使用可能および使用不能室）に分けられる。流体接続通路は、二室に結合される。一定量の医薬は、使用可能室から使用不能室へと移動され、したがって、適正な量の医薬のみが送達される。
【００８６】
例示的具体例のいずれによる注射器も、使用者によって、事前に充填され、または、充填される。事前に充填された注射器は、針から最も遠い調整可能なカラーの一側面に配置されるプランジャー停止部材を有し得る。プランジャーは、最も後退した位置で動き始める。プランジャーが押圧されるとき、プランジャーは、所望の用量にセットされた調整可能なカラーに当接するまで移動することのみ可能である。代わりに、使い捨て後に廃棄されることに代えて、調整可能なカラーは、その後の用量を送達するためにリセットされ得る。このことは、二重カムまたは他の好適な手段の使用によって達成され得る。注射器は、セプタムおよびペン型ニードルを受容するねじを含み得る。
【００８７】
例示的具体例のいずれによる注射器も、複数の用量に適合するように充填され得る。調整可能なカラーは、その日にセットされた用量を示すように表示され得る。例えば、カラーは、１、２および３の数字（または、Ａ、ＢおよびＣ、または、食事時間または夜間を示すために、ＡＭ、ＰＭ、ＭＴおよびＮＴ、または他のいかなる好適な配列）で表示され得る。また、使用者に、一つのセットから他に移動することを知らせるために、カラーが回転するにつれて厚みが広くなる、調整可能なカラー上の線が、また、存在し得る。シールは、調整可能なカラーに設けられ、カラーがバレル内を移動するとき、流体通路が殺菌状態を保つことを確実にする。
【００８８】
例示的具体例のいずれによる注射器も、引き込み後の医薬の中の気泡を追い出すことを容易にする構造を含み得る。
【００８９】
注射器は、液状の医薬に加えて、または、代わりに、乾燥した、粉状の、または、凍結乾燥された医薬と一緒の使用のために適合され得る。
【００９０】
上述の具体例および利点は、単に例示的であり、本発明の範囲を制限するものとして解釈されるべきではない。本発明の例示的具体例の記載は、説明のためであることを意図されており、本発明の範囲を制限することは意図されていない。種々の修正、代替および変更は、当業者にとって明らかであり、添付の特許請求の範囲に規定された発明およその均等物の範囲に含まれることが意図される。
【図１】
0005882607.tif 000002
【図２】
0005882607.tif 000003
【図３】
0005882607.tif 000004
【図４】
0005882607.tif 000005
【図５】
0005882607.tif 000006
【図６】
0005882607.tif 000007
【図７】
0005882607.tif 000008
【図８】
0005882607.tif 000009
【図９】
0005882607.tif 000010
【図１０】
0005882607.tif 000011
【図１１】
0005882607.tif 000012
【図１２】
0005882607.tif 000013
【図１３】
0005882607.tif 000014
【図１４】
0005882607.tif 000015
【図１５】
0005882607.tif 000016
【図１６】
0005882607.tif 000017
【図１７】
0005882607.tif 000018
【図１８】
0005882607.tif 000019
【図１９】
0005882607.tif 000020
【図２０】
0005882607.tif 000021
【図２１】
0005882607.tif 000022
【図２２】
0005882607.tif 000023
【図２３】
0005882607.tif 000024
【図２４】
0005882607.tif 000025